(57)【特許請求の範囲】
【請求項１】
洗濯バサミ保持具において、この洗濯バサミ保持具は、外側に板状の洗濯バサミ保持部と、この洗濯バサミ保持部の内側に延在する板状の取付部とから構成され、この取付部は貫通孔を有して弾性を有する材料で形成され、スリットを形成して弾性によりこの貫通孔の内径が変化可能で、この洗濯バサミ保持部はこの取付部より剛性を高くしたことを特徴とする洗濯バサミ保持具。
【請求項２】
請求項１の洗濯バサミ保持部は硬質プラスチックで形成し、取付部は洗濯バサミ保持部より剛性の低い材料で形成されることを特徴とする洗濯バサミ保持具。
【請求項３】
請求項１の洗濯バサミ保持具は、洗濯バサミ保持部は取付部より板厚を厚くして取付部より剛性を上げたことを特徴とする洗濯バサミ保持具。
【請求項４】
請求項１の洗濯バサミ保持具は、洗濯バサミ保持部にはリブを設けて剛性を上げたことを特徴とする洗濯バサミ保持具。
【請求項５】
請求項１の洗濯バサミ保持具が、略軸方向に膨出する洗濯バサミ保持部を有することを特徴とする洗濯バサミ保持具。
【発明の詳細な説明】
【技術分野】
【０００１】
この発明は、洗濯物を干すために使用する洗濯バサミを保持・収納する洗濯バサミ保持具に関する。
【背景技術】
【０００２】
従来、洗濯バサミは収納ケース等に入れて物干し場の床等に置き、洗濯物を物干し竿に掛けてから床上の洗濯バサミを取り上げて洗濯物を挟んでいた。この為、しゃがんだり立ち上がったりする動作が多く、非効率な動作を伴っていた。また、洗濯場所を移動するたびに、収納ケースも移動しなければならなかった。この為、洗濯バサミ保持具を腕に装着して、無駄な動きを排除した次の従来技術が開示されていた。
【先行技術文献】
【特許文献】
【０００３】
【特許文献１】特開２００３−１１７２９３
【特許文献２】実用新案登録３１８５２９７
【特許文献３】特開２０００ー７０５９２
【特許文献４】特開２００４ー２４８８６５
【発明の概要】
【発明が解決しようとする課題】
【０００４】
特許文献１の技術は、腕輪部２に腕を通して、洗濯バサミ保管具１を腕に保持する技術である。しかしながら、この技術では、腕輪部２に手の拳を通すため腕輪部２の内径Cが大きくなり、腕に嵌めたとき腕との隙間が大きくなってしまった。この為、腕を下げたときは洗濯バサミ保管具１が手の拳から抜けようとし、腕を上げると上腕の方に移動して不安定であった。
【０００５】
特許文献２の技術も、円筒状の基部２に拳を通し、手首に嵌めて使用する洗濯バサミホルダ１であり、特許文献１と同様の問題があった。
【０００６】
特許文献３の技術も、筒状袋３に拳を通し手首に装着して使用するものであるが、ピンチ保持具１がずり落ちないように、紐５により筒状袋３の開口部を締める技術である。この技術では、洗濯バサミ保持具１を脱着するたびに紐５を締めたり解いたりしなければならず、面倒であった。
【０００７】
特許文献４の技術は、一部が開放された手巻帯２を手首に巻いて、洗濯バサミの保持用具を輪ゴム３で固定するものである。この技術も洗濯バサミ保持具を装着したり外したりするたびに、輪ゴム３を嵌めたり外したりする必要があった。
【０００８】
このように、特許文献１と特許文献２の洗濯バサミ保持具は腕の所望の位置に安定的に装着できなかった。また、特許文献３と特許文献４の洗濯バサミ保持具は、洗濯バサミ保持具に腕を通すだけでなく、付加的に面倒な操作も必要であり、実用的でなかった。
【課題を解決するための手段】
【０００９】
洗濯バサミ保持具において、外側に平板状の洗濯バサミ保持部と、この洗濯バサミ保持部の内側に延在する板状の取付部とから構成され、この取付部は貫通孔を有して弾性を有する材料で形成され、弾性によりこの貫通孔の内径が変化可能な洗濯バサミ保持具である。
【発明の効果】
【００１０】
上記の問題点を解決し、単一の操作で洗濯バサミ保持具を腕に装着して腕の任意の箇所に安定的に維持でき、同じく単一の操作で外すことができる洗濯バサミ保持具を提供する。
【図面の簡単な説明】
【００１１】
【図１】第一の実施例の洗濯バサミ保持具を示す斜視図である。
【図２】第一の実施例の洗濯バサミ保持具に洗濯バサミを挟んだ状態を示す斜視図である。
【図３】第一の実施例の洗濯バサミ保持具に腕を差し込んだ状態を示す斜視図である。
【図４】第二の実施例の洗濯バサミ保持具を示す斜視図である。
【図５】第一の実施例の洗濯バサミ保持具を示すAは左側面図、右側面図、Bは正面図、背面図、Cは平面図、底面図である。
【図６】Aは第三の実施例の洗濯バサミ保持具の断面図、Bは第四の実施例の断面図、Cは第五の実施例の断面図である。
【図７】第六の実施例の洗濯バサミ保持具の斜視図である。
【図８】第七の実施例の洗濯バサミ保持具を示すAは左側面図、右側面図、Bは正面図、背面図、Cは平面図、底面図である。
【発明を実施するための形態】
【００１２】
外側に平板状の洗濯バサミ保持部と、その洗濯バサミ保持部の内側に延在する弾性により内径が変化可能な取付部とから構成される洗濯バサミ保持具である。
【００１３】
上記の洗濯バサミ保持部は略円板状の環を形成し、取付部は洗濯バサミ保持部から内方に延在することを特徴とする洗濯バサミ保持具である。
上記の洗濯バサミ保持具は、弾力性を有する材料で成形し、取付部には複数の放射状スリットを入れたことを特徴とする洗濯バサミ保持具である。
上記の洗濯バサミ保持具において、外縁近傍に係止孔を設けたことを特徴とする洗濯バサミ保持具である。
上記の洗濯バサミ保持具において、側方に開口する側方開口部を設けたことを特徴とする洗濯バサミ保持具である。
【実施例】
【００１４】
図１は、第一の実施例の洗濯バサミ保持具１０であり、略円盤状の洗濯バサミ保持部２０と、その内側に延在する円環状の取付部３０とから構成されている。この実施例では、エラストマーや軟質プラスチック等の弾性材料で一体成形されているが、外側の洗濯バサミ保持部２０を硬質プラスチックで成形し、内側の取付部３０を弾性材料で成形してもよい。中心部には貫通孔４０が開口している。取付部３０には放射状にスリット３１が略等間隔に設けられている。
【００１５】
スリット３１は、直線状の切れ込み３１Aと、その外側端に円形部３１Bにより構成されている。円形部３１Bは必須ではないが、応力集中を避けて亀裂が入るのを防いでいる。
【００１６】
図２は、洗濯バサミ保持具１０の使用状態を示し、洗濯バサミ保持部２０の外周に洗濯バサミ６０を保持している。
【００１７】
図３は、洗濯バサミ保持具１０に拳を挿入し、手首の位置に装着した状態を示す。取付部３０は、エラストマーのように弾力性のある材料で成形されており、しかもスリット３１が設けられているので貫通孔４０は柔軟に拡大できる。その為、洗濯バサミ保持具１０には拳が容易に挿入でき、手首から上腕部まで腕の任意の位置に装着することができる。また、取付部３０は弾力性を有しているので、適度な力で腕を押圧する為、腕８０を上下に動かしてもずれたりすることがない。
【００１８】
図１に示すように、洗濯バサミ保持具１０の外縁近傍には、係止孔５０が設けられている。係止孔本体５０Aは、楕円又は長穴で長軸が半径方向くるよう配置してある。挿入切れ込み５０Bは、洗濯バサミ取付部２０の外縁から係止孔本体５０Aの下方に至るよう設けられている。図２のように、洗濯バサミ７０のバネ７１を挿入切れ込み５０Bに差し込み、係止孔本体５０Aに挿入する。洗濯バサミ７０を、エプロンや衣服等の任意の場所に挟んで使用することもできる。
【００１９】
図４は、第二の実施例の洗濯バサミ保持具１０であり、洗濯バサミ支持部２０から略軸方向に膨出する円筒状の洗濯バサミ保持部２２を設けたものである。これにより、さらに多数の洗濯バサミ６０を保持することができる。
【００２０】
図６のAは、第三の実施例の洗濯バサミ保持具１０の断面図であり、洗濯バサミ保持部２０は厚く、取付部３０は薄くすることにより、洗濯バサミ保持部２０の剛性を大きくし、取付部３０の剛性は小さくして柔軟性を持たせたものである。
図６のBは、第四の実施例の洗濯バサミ保持具１０の断面図であり、洗濯バサミ保持部２０の外縁にリブ２３を設け、剛性を上げると共に洗濯バサミを外れ難くくしたものである。
図６のCは、第五の実施例の洗濯バサミ保持具１０の断面図であり、洗濯バサミ保持部２０は厚く、取付部３０は薄くするよう漸減させることにより、洗濯バサミ保持部２０の剛性を大きくし、取付部３０の剛性は小さくして柔軟性を持たせたものである。
【００２１】
図７は第六の実施例の洗濯バサミ保持具であり、半径方向の側方開口部６０を設けて、洗濯竿の中央寄りに半径方向の側方から挿入できるようにしたものである。この実施例は側方開口部６０が開いているため、剛性が落ちないように洗濯バサミ保持部２０の厚さを大きくしている。
【００２２】
図８は第七の実施例の洗濯バサミ保持具であり、外径をハート型にしてデザイン性を向上している。
【産業上の利用可能性】
【００２３】
この発明の洗濯バサミ保持具は、洗濯物を干す場合だけでなく、事務用クリップ等を挟んで作業する場合にも利用が可能である。
【符号の説明】
【００２４】
１０は洗濯バサミ保持具
２０は洗濯バサミ保持部
２２は軸方向洗濯バサミ保持部
２３はリブ
３０は取付部
３１はスリット
３１Aは切れ込み
３１Bは円形部
４０は貫通孔
５０は係止孔
５０Aは係止孔本体
５０Bは挿入切れ込み
６０は側方開口部
８０は腕
【図１】
0006277337.tif 000002
【図２】
0006277337.tif 000003
【図３】
0006277337.tif 000004
【図４】
0006277337.tif 000005
【図５】
0006277337.tif 000006
【図６】
0006277337.tif 000007
【図７】
0006277337.tif 000008
【図８】
0006277337.tif 000009